【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
２次元の視覚化領域内の位置を指定する視覚化手段を移動させて前記視覚化領域内に描かれた視覚されるパターンを示すイメージデータを生成するデータ処理装置であって、
前記視覚化手段が前記視覚化領域内で前記指定する位置を当該指定した順に第１の位置精度で示す複数の第１の位置データを含む第１のイメージデータを入力する入力手段と、
前記入力手段が入力した前記第１のイメージデータ内の前記第１の位置データを前記第１の位置精度より低い第２の位置精度の第２の位置データに変換して第２のイメージデータを生成する変換手段と、
前記変換手段が生成した前記第２のイメージデータ内の前記第２の位置データのうち、前記指定された位置が移動したことで変化した前記第２の位置データを特定し、当該特定した前記第２の位置データを前記指定した順に含む第３のイメージデータを生成する変化検出手段と
を有するデータ処理装置。
【請求項２】
前記変化検出手段が生成した前記第３のイメージデータを送信する送信手段
をさらに有する請求項１に記載のデータ処理装置。
【請求項３】
前記入力手段は、前記視覚化手段が前記視覚化領域内に描く前記パターンの色を示す色データをさらに入力し、
前記送信手段は、前記色データを前記第３のイメージデータと関連付けて送信する
請求項２に記載のデータ処理装置。
【請求項４】
前記入力手段は、矩形の前記視覚化領域の長辺および短辺に沿った２つの座標軸を持つ２次元座標系において、前記２つの座標軸の双方で最大値を持つ前記視覚化領域内の位置を前記視覚化手段が指定した状態で、前記視覚化手段が指定した位置を示す前記第１の精度の設定用位置データを入力し、
前記変換手段は、前記入力手段が入力した前記設定用位置データを基に、前記視覚化領域のサイズを特定し、当該特定したサイズを基に前記変換を行う
請求項１に記載のデータ処理装置。
【請求項５】
受信した第４のイメージデータを基に画面データを生成するイメージ処理手段と、
受信したオーディオデータを基にオーディオ信号を生成するオーディオ処理手段と
をさらに有し、
前記送信手段は、撮像装置から撮像データと、マイクから入力したオーディオデータと、前記変換検出手段が生成した前記第３のイメージデータとを関連付けて前記第４のイメージデータの送信元に送信する
請求項２に記載のデータ処理装置。
【請求項６】
２次元の視覚化領域内の位置を指定する視覚化手段を移動させて前記視覚化領域内に描かれた視覚されるパターンを示すイメージデータを生成するデータ処理方法であって、
前記視覚化手段が前記視覚化領域内で前記指定する位置を当該指定した順に第１の位置精度で示す複数の第１の位置データを含む第１のイメージデータについて、当該第１のイメージデータ内の前記第１の位置データを前記第１の位置精度より低い第２の位置精度の第２の位置データに変換して第２のイメージデータを生成する第１の工程と、
前記第１の工程で生成した前記第２のイメージデータ内の前記第２の位置データのうち、前記指定された位置が移動したことで変化した前記第２の位置データを特定し、当該特定した前記第２の位置データを前記指定した順に含む第３のイメージデータを生成する第２の工程と
を有するデータ処理方法。
【手続補正２】
【補正対象書類名】明細書
【補正対象項目名】０００３
【補正方法】変更
【補正の内容】
【０００３】
【発明が解決しようとする課題】
ところで、通常、会議などでは、ホワイトボードなどを用いて発言者が説明する場合があるが、上述した従来の会議システムの端末装置には、ホワイトボードに描かれたパターンを他人の端末装置に送信して表示させる機能は備えられていない。
一方、ホワイトボードに描かれたパターンを電子データに変換するデータ処理装置が知られている。当該データ処理装置では、ホワイトボードにパターンを描くペンの位置を検出し、当該検出した位置を基に上記パターンを示す電子データを生成している。
しかしながら、このようにして生成された電子データを、そのまま他人の端末装置に送信すると、当該端末装置の表示精度を超えた多量な電子データが送信されることになり、電子データの送信効率が悪いという問題がある。
また、会議システムなどで規定された上記通信フォーマットにおいて、ホワイトボードのパターンの電子データを送信できるデータ量には限りがあり、上記電子データをそのまま送信することができないという問題がある。
【手続補正３】
【補正対象書類名】明細書
【補正対象項目名】００１１
【補正方法】変更
【補正の内容】
【００１１】
以下、会議システム端末装置３＿１について説明する。
図２は会議システム端末装置３＿１に接続される機器を説明するための図、図３は図２に示す会議システム端末装置３＿１のインタフェースの外観を説明するための図、図４はホワイトボード１６およびホワイトボードデータ生成装置１４を説明するための図、図５は会議システム端末装置３＿１の機能ブロック図である。
なお、本実施形態では、会議システム端末装置３＿１〜３＿４が同じ構成を成す場合を例示する。
〔接続機器〕
先ず、会議システム端末装置３＿１に接続される機器について説明する。
図２に示すように、会議システム端末装置３＿１には、例えば、ディスプレイ１０、スピーカ１１、カメラ１２、マイク１３およびホワイトボードデータ生成装置１４が接続される。
【手続補正４】
【補正対象書類名】明細書
【補正対象項目名】００１３
【補正方法】変更
【補正の内容】
【００１３】
スピーカ１１は、会議システム端末装置３＿１から入力したテレビ会議のオーディオ信号Ｓ５５に応じたオーディオ出力を行う。スピーカ１１は、例えば、図３に示す会議システム端末装置３＿１のインタフェース５５に接続される。
カメラ１２は、例えば、会議システム端末装置３＿１のユーザの顔などを撮像し、その撮像信号Ｓ１２を会議システム端末装置３＿１に出力する。カメラ１２は、例えば、図３に示す会議システム端末装置３＿１のインタフェース４２に接続される。
マイク１３は、会議システム端末装置３＿１のユーザが発した音声などのオーディオ信号Ｓ１３を生成し、これを会議システム端末装置３＿１に出力する。マイク１３は、例えば、図３に示す会議システム端末装置３＿１のインタフェース４４に接続される。
また、会議システム端末装置３＿１は、図３に示すインタフェース４０を介して、図１および図２に示すネットワーク５に接続される。
【手続補正５】
【補正対象書類名】明細書
【補正対象項目名】００２３
【補正方法】変更
【補正の内容】
【００２３】
送信処理回路３７は、イメージデータＳ３３、制御データＳ１４ｂ、イメージデータＳ４３およびオーディオデータＳ４５を、会議システム１において会議システム端末装置間で行う通信プロトコルとして規定された会議システムプロトコルの通信フォーマットに適合した形式に変換し、インタフェース５８を介して会議システム端末装置３＿２〜３＿４に送信する。
当該通信フォーマットとしては、例えば、会議システムプロトコル（例えば、国際標準化方式Ｈ．３２０やＨ３２３）で規定されたものが用いられる。
図６（Ａ）は、一般的な会議システムプロトコルの通信フォーマットを説明するための図である。
図６（Ａ）に示すように、当該通信フォーマットでは、例えば、ビデオ部、オーディオ部およびカメラ制御データ部などがデータ転送フォーマットとして規定されている。ここで、カメラ制御データ部は、通信先の会議システム端末装置に接続されたカメラの向きを制御するためのカメラ制御データが格納される部分である。
【手続補正６】
【補正対象書類名】明細書
【補正対象項目名】００２４
【補正方法】変更
【補正の内容】
【００２４】
本実施形態では、図６（Ｂ）に示すように、当該通信フォーマットのビデオ部にイメージデータＳ４３を格納し、オーディオ部にオーディオデータＳ４５を格納し、カメラ制御データ部にイメージデータＳ３３と制御データＳ１４ｂとを格納する。
会議システム端末装置３＿１では、上述したように、座標変換回路３２および変化点検出回路３３により、イメージデータＳ１４ａのデータ量を削減したイメージデータＳ３３を送信するため、データ量に制限がある上記カメラ制御データ部にイメージデータＳ３３を十分に格納できる。
【手続補正７】
【補正対象書類名】明細書
【補正対象項目名】００３０
【補正方法】変更
【補正の内容】
【００３０】
図８は、例えば、図１に示す会議システム端末装置３＿２のディスプレイ１０に表示される画面１０ｂを説明するための図である。
図８に示すように、会議システム端末装置３＿２のディスプレイ１０の画面１０ｂには、会議システム端末装置３＿１，３＿３，３＿４から入力したイメージデータに応じて、ユーザ２＿１，２＿３および２＿４の顔画像１１０＿１、１１０＿３および１１０＿４と、例えば、会議システム端末装置３＿２に接続されたホワイトボードデータ生成装置からのイメージデータに応じたホワイトボード画像１１３とが表示される。
顔画像１１０＿１、１１０＿３および１１０＿４内には、それぞれ会議システム端末装置３＿１，３＿３および３＿４に接続されたホワイトボードデータ生成装置から送られたホワイトボード画像への切り換えボタン画像１１１＿１，１１１＿３および１１１＿４が表示されている。
ユーザが、例えば、画面１０ｂ上でボタン画像１１１＿１を指定すると、図８に示す顔画像１１０＿１が、会議システム端末装置３＿１からの図５に示すイメージデータＳ１４ａに応じたホワイトボード画像１３１＿１に切り換わる。
ホワイトボード画像１３１＿１内には、顔画像１１０＿１への切り換えボタン画像１３２＿１が表示される。
ユーザが、ボタン画像１３２＿１を指定することで、図８に示す画面に戻る。
【手続補正８】
【補正対象書類名】明細書
【補正対象項目名】００３４
【補正方法】変更
【補正の内容】
【００３４】
ステップＳＴ３：
会議システム端末装置３＿１は、ホワイトボード１６のボード部１６ａの右下隅にペン１７を接触させることを指示する画面をディスプレイ１０に表示する。
ボード部１６ａ上で当該指定する位置は、右下隅に限られず、ホワイトボードデータ生成装置１４が生成するペン１７の位置を示す座標データ（Ｘ，Ｙ）が最大値を示す位置であればよい。
そして、ユーザが、上記画面の指示に応じて、図４に示すホワイトボード１６のボード部１６ａの右下隅１６ｃにペン１７を接触させる。
これにより、ホワイトボードデータ生成装置１４が、ペン１７がボード部１６ａに接触したことを示す命令コードと、ボード部１６ａの右下隅の座標データ（Ｘｓ，Ｘｓ）（本発明の設定用位置データ）とを会議システム端末装置３＿１に出力する。
その後、ユーザがペン１７をボード部１６ａから離すと、ホワイトボードデータ生成装置１４が、その旨を示す命令コードを会議システム端末装置３＿１に出力する。
図５に示す会議システム端末装置３＿１の制御回路２２は、ホワイトボードデータ生成装置１４を介してホワイトボードデータ生成装置１４から入力した上記座標データ（Ｘｓ，Ｙｓ）を、例えば、図５に示す座標変換回路３２に設定する。
【手続補正９】
【補正対象書類名】明細書
【補正対象項目名】００３５
【補正方法】変更
【補正の内容】
【００３５】
ステップＳＴ４：
ステップＳＴ３に続いて、ユーザは、ホワイトボード１６のボード部１６ａ内に、ペン１７を用いてパターンを描く操作を開始する。
ペン１７がボード部１６aに接触すること、ホワイトボードデータ生成装置１４は、その旨を示す制御データＳ１４ｂを会議システム端末装置３＿１に出力する。
また、ユーザは、ペン１７を持つと、先ず、ペン１７に備えられた上記ボタンを押す。
これにより、ホワイトボードデータ生成装置１４が、ペンの色を示す色データを会議システム端末装置３＿１に出力する。
ステップＳＴ５：
図５に示す会議システム端末装置３＿１は、ステップＳＴ２で設定されたペンの太さを示す太さデータ、並びにステップＳＴ４で入力した色データを、インタフェース５８を介して他の会議システム端末装置３＿２，３＿３，３＿４に送信する。
当該他の会議システム端末装置３＿２，３＿３，３＿４は、以後、会議システム端末装置３＿１から入力したホワイトボードのパターンの画像を、会議システム端末装置３＿１から入力した太さデータおよび色データで指定された太さおよび色で表示する。
【手続補正１０】
【補正対象書類名】明細書
【補正対象項目名】００３６
【補正方法】変更
【補正の内容】
【００３６】
ステップＳＴ６：
ホワイトボードデータ生成装置１４は、ペン１７がボード部１６ａに接触している間、ボード部１６ａ上でのペン１７が接触している位置を示す座標データ（Ｘｐ，Ｙｐ）を含むイメージデータＳ１４ａを会議システム端末装置３＿１に出力する。
このとき、イメージデータＳ１４ａは、ペン１７が接触したボード部１６ａ上の位置の座標をペン１７が接触した順に示す複数の座標データ（Ｘｐ，Ｙｐ）を含んでいる。
会議システム端末装置３＿１は、イメージデータＳ１４ａを図５に示すインタフェース３１を介して入力する。
【手続補正１１】
【補正対象書類名】明細書
【補正対象項目名】００４１
【補正方法】変更
【補正の内容】
【００４１】
ステップＳＴ１２：
会議システム端末装置３＿１の制御回路２２は、ホワイトボードモードが終了したか否かを判断し、終了したと判断するとステップＳＴ１３に進み、そうでない場合には、ステップＳＴ６の処理に戻る。
すなわち、会議システム端末装置３＿１は、ホワイトボードモードの間、ステップＳＴ６〜ＳＴ１１の処理を繰り返し、所定のデータ量あるいは時間を単位として、イメージデータＳ３３の送信並びに表示処理を繰り返して行う。
なお、制御回路２２は、操作部２１を介した終了要求あるいは会議システム端末装置３＿２〜３＿４から受信した終了要求に応じて、ホワイトボードモードを終了する。
【手続補正１２】
【補正対象書類名】明細書
【補正対象項目名】００４４
【補正方法】変更
【補正の内容】
【００４４】
以上説明したように、会議システム１によれば、会議システム端末装置３＿１は、会議システム端末装置３＿１から入力したイメージデータＳ１４ａ内のボード部１６ａ上でのペン１７が接触している位置を第１の精度で示す座標データ（Ｘｐ，Ｙｐ）を座標変換回路３２において上記第１の精度より低い第２の精度の座標データ（Ｘｑ，Ｙｑ）に変換してイメージデータＳ３２を生成する。
そして、変化点検出回路３３において、座標データＳ３２内の座標データ（Ｘｑ，Ｙｑ）のうち、ペン１７がボード部１６ａ上で接触した位置が移動したことで変化した座標データ（Ｘｑ，Ｙｑ）を特定し、当該特定した座標データ（Ｘｑ，Ｙｑ）を上記接触した順に含むイメージデータＳ３３を生成する。
そのため、会議システム端末装置３＿２〜３＿４に送信するイメージデータＳ３３のデータ量をイメージデータＳ１４ａに比べて削減できる。
これにより、会議システム端末装置間での通信量を削減できる。また、図６を用いて説明したように、イメージデータ１４ａを会議システムの通信フォーマットで規定されたカメラ制御データ部に格納することができ、既存の通信フォーマットを用いてホワイトボードのデータのやり取りが可能になる。